(57)【要約】【課題】表示装置の軽量化を図り保ちつつ、装置本体を床等に落とした際の表示装置の外装部材の破断を低減できる内視鏡装置を提供する。【解決手段】モニタ３０の外装部材３０ｇと、外装部材３０ｇ内に設けられたフレームと、吊り下げステー２３に対して、フレームの第２の部位３４ｂを、外装部材３０ｇを介して固定することにより、装置本体に対し装着されたモニタ３０を吊り下げステー２３に固定するネジ２５と、を具備していることを特徴とする。【選択図】図４
2010046423.tif 000002
【特許請求の範囲】
【請求項１】
表示装置が、内視鏡または該内視鏡が接続された装置本体に対し回動自在に取り付けられた内視鏡装置であって、
前記表示装置の外装部材と、
前記外装部材内に設けられた内蔵物と、
前記内視鏡または前記装置本体に対して前記内蔵物を、前記外装部材を介して固定することにより、前記表示装置を前記内視鏡または前記装置本体に固定する第１の固定部材と、
を具備していることを特徴とする内視鏡装置。
【請求項２】
前記表示装置は、前記内視鏡または前記装置本体に対して着脱可能に取り付けられていることを特徴とする請求項１に記載の内視鏡装置。
【請求項３】
前記表示装置は、前記内視鏡または前記装置本体に対して、前記第１の固定部材により吊り下げられて固定されていることを特徴とする請求項１または２に記載の内視鏡装置。
【請求項４】
前記内蔵物は、表示モジュールと、該表示モジュールを保持するとともに一部が前記外装部材に当接する当接部を有する保持部材とを具備していることを特徴とする請求項３に記載の内視鏡装置。
【請求項５】
前記第１の固定部材は、前記保持部材の前記当接部を、前記外装部材を介して前記内視鏡または前記装置本体に対して固定することを特徴とする請求項４に記載の内視鏡装置。
【請求項６】
前記第１の固定部材は、ネジから構成されていることを特徴とする請求項１〜５のいずれか１項に記載の内視鏡装置。
【請求項７】
前記保持部材の前記当接部と前記外装部材とを貫通する貫通孔に、前記ネジが螺合されるナットが設けられていることを特徴とする請求項６に記載の内視鏡装置。
【請求項８】
前記保持部材の前記当接部と該当接部が当接する前記外装部材との間に、前記内蔵物を構成する介装部材が介装されており、
前記保持部材と前記介装部材と前記外装部材とを貫通する貫通孔に、前記ネジが螺合されるナットが設けられていることを特徴とする請求項６に記載の内視鏡装置。
【請求項９】
前記外装部材に対し、前記内蔵物を固定する第２の固定部材をさらに具備していることを特徴とする請求項１〜８のいずれか１項に記載の内視鏡装置。
【請求項１０】
前記第２の固定部材は、ネジから構成されていることを特徴とする請求項９に記載の内視鏡装置。
【請求項１１】
前記保持部材の前記当接部と前記外装部材とを貫通するよう、前記ネジが螺合されるネジ孔が形成されていることを特徴とする請求項１０に記載の内視鏡装置。
【請求項１２】
前記保持部材の前記当接部と該当接部が当接する前記外装部材との間に、前記内蔵物を構成する介装部材が介装されており、
前記保持部材と前記介装部材と前記外装部材とを貫通するよう、前記ネジが螺合されるネジ孔が形成されていることを特徴とする請求項１０に記載の内視鏡装置。
【発明の詳細な説明】
【技術分野】
【０００１】
本発明は、表示装置が、内視鏡または該内視鏡が接続された装置本体に対し回動自在に取り付けられた内視鏡装置に関する。
【背景技術】
【０００２】
周知のように、内視鏡装置は、工業用分野において広く利用されている。工業用分野において用いられる内視鏡装置は、内視鏡の細長い挿入部を被検部位であるジェットエンジン内や、工場の配管等に挿入することによって、被検部位の傷及び腐蝕等の観察や各種処置等を行うことができる。
【０００３】
ここで、工業用分野において用いられる内視鏡装置において、内視鏡が接続された装置本体が、被検部位の検査の際、内視鏡とともに運搬できるよう小型に構成されているものが周知であり、また、小型の装置本体に、該装置本体を作業者の肩等に掛けて運搬するためのベルトが設けられた構成が周知である。即ち、ショルダ式の内視鏡装置が周知である。
【０００４】
また、ショルダ式の内視鏡装置は、装置本体に、内視鏡により撮像された被検部位の像が表示される表示装置が設けられている。尚、表示装置は、表示モジュール及び該表示モジュールの表示を制御する制御基板等の内蔵物と、該内蔵物を覆う表示装置の外装部材とから構成されているのが一般的である。さらに、表示装置が、装置本体に対し着脱自在な構成も周知であり、例えば特許文献１に開示されている。
【０００５】
図１０は、従来の内視鏡装置の構成を示す斜視図、図１１は、図１０の装置本体の吊り下げステーに表示装置が吊り下げられている状態を、一部を断面にして示す図である。
【０００６】
図１０に示すように、特許文献１に開示された内視鏡装置１００においては、内視鏡１０１が接続された装置本体１０２における高さ方向Ｈの上面であって、図１０中の前面側に、吊り下げステー１０３が設けられており、該吊り下げステー１０３の高さ方向Ｈの下面に、表示装置１１０が、固定ネジ１０４により、吊り下げ固定自在に構成されている。
【０００７】
具体的には、図１１に示すように、表示装置１１０の高さ方向Ｈの上面に、表示装置１１０における外装部材１１０ｇの枠部１１９から高さ方向Ｈの上方に突出する外装部材１１０ｇの固定部１１１が設けられており、該固定部１１１内に設けられた固定ナット１１３に、吊り下げステー１０３に形成されたネジ孔１０３ｎを介して固定ネジ１０４が螺合自在なことにより、吊り下げステー１０３の高さ方向Ｈの下面に、表示装置１１０が吊り下げ自在に構成されている。
【特許文献１】特開２００４−３２１２４３号公報
【発明の開示】
【発明が解決しようとする課題】
【０００８】
ところで、ショルダ式の内視鏡装置は、例えば作業者の肩にベルトを掛けて使用することから、不意に装置本体を落下させてしまう場合がある。この場合、図１１に示すように、装置本体１０２が床等に落ちた際、落下方向の力Ｆ（衝突時の衝撃力）が表示装置１１０に付与される。
【０００９】
詳述すると、装置本体１０２が床等に落ちた際、特許文献１に開示された表示装置１１０を取り付けた吊り下げステー１０３は、通常、金属等で形成されていることから、落下方向の力Ｆによって、大きく変形することはない。
【００１０】
ところが、表示装置１１０は、枠部１１９及び固定部１１１から構成された外装部材１１０ｇが吊り下げステー１０３に固定ネジ１０４によって固定されている構造であるため、装置本体１０２が床等に落ちた際の落下方向の力Ｆは、表示装置１１０の外装部材１１０ｇに付与されてしまう。
【００１１】
ここで、表示装置１１０の外装部材１１０ｇが例えば樹脂から形成されていた場合、落下した際の落下方向の力Ｆが大きければ、樹脂が力Ｆを吸収しきれず、外装部材の強度の弱い部分に力Ｆがかかり、破断してしまう可能性があった。尚、装置本体１０２の落下に伴う外装部材の破断は、内視鏡装置を気温の低い場所で使用している場合において、特に高くなると考えられる。
【００１２】
図１２は、例として、装置本体を落下させた際に、表示装置の外装部材に亀裂が発生した状態を、一部を断面にして示す図である。
【００１３】
具体的には、図１１、図１２に示すように、表示装置１１０の外装部材１００ｇにおける枠部１１９に内蔵された表示モジュールや制御基板等の内蔵物は、枠部１１９における外装部材１１０ｇの表示モジュールの表示面を平面視した状態で囲む面１１０ｇｆに、金属フレーム等の保持部材１１４がネジ１１５により固定されることにより、外装部材１１０ｇ内において保持部材１１４に保持されている。
【００１４】
このことから、装置本体１０２を床等に落とした際、装置本体１０２の落下に伴う落下方向の力Ｆが吊り下げステー１０３に取り付けられた外装部材１１０ｇに付与されると、枠部１１９における外装部材１１０ｇ内において、内蔵物及び面１１０ｇｆに固定されたネジ１１５に、落下方向への力Ｐが付与される。
【００１５】
この際、外装部材１１０ｇの固定部１１１は、固定ネジ１０４により吊り下げステー１０３に固定されて動かないことから、落下方向への力Ｐにより、外装部材１００ｇにおける枠部１１９に対し、吊り下げステー１０３からせん断力Ｓが付与されてしまう。
【００１６】
その結果、枠部１１９の応力が集中しやすい部位（外装部材の強度の弱い部分）、例えば図１２に示すように、面１１０ｇｆにおいて、表示モジュールの表示面を露出させる表示窓１１６が形成された角部に、応力が集中してしまい、角部から亀裂Ｋが発生してしまう可能性があった。
【００１７】
尚、以上のような問題は、外装部材１１０ｇを金属等で形成すれば防ぐことはできるが、この場合、外装部材１１０ｇが重くなってしまうことから、表示装置１１０の軽量化を図ることが難しくなってしまう他、落下方向の力が大きく、仮に外装部材１１０ｇが変形してしまった場合、該変形に伴い、内蔵物を破損させてしまう場合があるといった問題があった。
【００１８】
本発明は、上記問題点に鑑みてなされたものであり、表示装置の軽量化を図り保ちつつ、装置本体を床等に落とした際の表示装置の外装部材の破断を低減できる内視鏡装置を提供することを目的とする。
【課題を解決するための手段】
【００１９】
上記目的を達成するために本発明による内視鏡装置は、表示装置が、内視鏡または該内視鏡が接続された装置本体に対し回動自在に取り付けられた内視鏡装置であって、前記表示装置の外装部材と、前記外装部材内に設けられた内蔵物と、前記内視鏡または前記装置本体に対して前記内蔵物を、前記外装部材を介して固定することにより、前記表示装置を前記内視鏡または前記装置本体に固定する第１の固定部材と、を具備していることを特徴とする内視鏡装置。
【発明の効果】
【００２０】
本発明によれば、表示装置の軽量化を図り保ちつつ、装置本体を床等に落とした際の表示装置の外装部材の破断を低減できる内視鏡装置を提供することができる。
【発明を実施するための最良の形態】
【００２１】
以下、図面を参照して本発明の実施の形態を説明する。  
（第１実施の形態）
図１は、本実施の形態を示す内視鏡装置の斜視図である。  
図１に示すように、内視鏡装置１は、内視鏡２と、該内視鏡２に接続された装置本体３とにより主要部が構成されている。
【００２２】
内視鏡２は、細長で可撓性を有する細径の挿入部９と、該挿入部９の挿入方向Ｌの後端に接続された、把持部１０を有する操作部４と、該操作部４の把持部１０から延出された可撓性を有するユニバーサルコード１２とにより主要部が構成されている。
【００２３】
挿入部９に、該挿入部９の挿入方向Ｌの先端側から順に、先端部６と、操作部４の湾曲操作レバー１１の湾曲操作により、例えば上下／左右方向に湾曲される湾曲部７と、可撓性部材にて形成された長尺な可撓管部８とが連設されており、可撓管部８の後端部が操作部４に接続されている。尚、先端部６にアダプタ５が着脱自在であっても構わない。
【００２４】
操作部４に、湾曲部７を湾曲動作させる湾曲操作レバー１１が少なくとも４方向に傾倒自在となるよう直立して配設されている。
【００２５】
湾曲操作レバー１１は、操作者により傾倒方向が変化されることによって、湾曲部７を上下／左右の４方向の内、いずれかの方向に、挿入部９内に挿通された図示しない湾曲操作ワイヤを介して湾曲動作させる。尚、操作部４には、湾曲操作レバー１１の他、図示しない撮像素子における各種撮像動作を指示する図示しない各種スイッチが配設されている。
【００２６】
操作部４から延出したユニバーサルコード１２の端部が接続された装置本体３は、例えば箱状を有しており、例えばマグネシウムダイキャストにより構成された外装筐体２０により覆われた内部に、画像処理用のＣＰＵ等の電気部品（図示されず）や、例えば先端部６またはアダプタ５に設けられた図示しないＬＥＤに電源を供給する図示しないバッテリユニット等が配設されている。
【００２７】
また、装置本体３の外装筐体２０に、内視鏡２の撮像素子により撮像された内視鏡画像を表示する表示装置であるモニタ３０が、外装筐体２０に対し回動自在であるとともに、着脱自在となっている。具体的には、装置本体３の高さ方向Ｈの上面であって、図１中前面側に設けられた吊り下げステー２３の高さ方向Ｈの下面に対し、第１の固定部材であるネジ２５によってモニタ３０が着脱自在となっている。また、吊り下げステー２３の両端に、図示しないヒンジを設け、吊り下げステー２３が装置本体３に対して回動可能となるように支持する。尚、ネジ２５を用いて吊り下げステー２３に対してモニタ３０を固定する構造は、後述する。また、装置本体３に対してモニタ３０が着脱自在なことにより、モニタ３０の修理性及び交換性が向上する。
【００２８】
また、装置本体３の携帯性を向上させるため、装置本体３を操作者の肩等に掛けるためのベルト２１が、例えば装置本体３に対して着脱自在となるよう、外装筐体２０に２点で固定されている。
【００２９】
さらに、箱状の外装筐体２０の４辺に、装置本体３を載置するためのゴム（例えばＮＢＲ）等により形成された、例えば４つの脚部２２が固定されている。
【００３０】
次に、ネジ２５を用いて吊り下げステー２３に対してモニタ３０を固定する構造を、図２〜図６を用いて説明する。図２は、図１のモニタを、吊り下げステーとともに拡大して示す斜視図、図３は、図２のモニタからネジを脱却した状態を示すモニタの斜視図である。
【００３１】
また、図４は、図２中のIV-IV線に沿う、ネジにより吊り下げステーに固定されたモニタの部分断面図、図５は、図４中のV-V線に沿うネジにより吊り下げステーに固定されたモニタの断面図、図６は、図５中のモニタを、VIの方向から制御基板を除いて概略的にみた平面図である。
【００３２】
図２〜図６に示すように、モニタ３０は、枠部７２及び固定部７１を具備する外装部材３０ｇと、該外装部材３０ｇの内部３０ｉ、具体的には、枠部７２の内部に設けられた内蔵物３１とにより主要部が構成されている。
【００３３】
また、図５に示すように、枠部７２の高さ方向Ｈに対し直交する奥行き方向Ｄの図５中右側に、枠部７２内に、内蔵物３１を出し入れするための裏蓋４２が構成されている。尚、裏蓋４２も外装部材３０ｇを構成している。
【００３４】
図５に示すように、内蔵物３１は、例えばＬＣＤパネルから構成されたバックライトを有する表示モジュール３２と、該表示モジュール３２の表示を制御する制御基板３３と、表示モジュール３２及び制御基板３３を保持するとともに、当接部である第２の部位３４ｂが枠部７２の高さ方向Ｈの上部（以下、単に上部と称す）に、介装部材であるプレート４０を介して当接する保持部材であるフレーム３４とを具備している。
【００３５】
フレーム３４は、例えば金属から図５に示すように、断面略逆コの字状に形成されており、表示モジュール３２に対し、奥行き方向Ｄにおいて略平行に位置する第３の部位３４ｃと、該第３の部位３４ｃの上部から、奥行き方向Ｄに沿って裏蓋４２側に延出する第２の部位３４ｂと、該第２の部位３４ｂの延出端から高さ方向Ｈの下方に延出する第１の部位３４ａと、第３の部位３４ｃの高さ方向Ｈの下部（以下、単に下部と称す）から、奥行き方向Ｄに沿って裏蓋４２側に延出する第４の部位３４ｄと、該第４の部位３４ｄの延出端から高さ方向Ｈの上方に延出する第５の部位３４ｅとから主要部が構成されている。
【００３６】
図５、図６に示すように、表示モジュール３２は、第３の部位３４ｃに形成された、例えば４つのネジ孔３４ｘに、ネジ４３がそれぞれ螺合されることにより第３の部位３４ｃに固定されている。尚、ネジ孔３４ｘの数は、４つに限定されない。
【００３７】
また、制御基板３３は、第３の部位３４ｃに形成された、例えば４つのネジ孔３４ｙに、制御基板３３を貫通するネジ３８がそれぞれ螺合されることにより第３の部位３４ｃに固定されている。尚、ネジ孔３４ｙの数も、４つに限定されない。
【００３８】
また、第１の部位３４ａ及び第５の部位３４ｅには、それぞれネジ孔３４ｚが形成されており、各ネジ孔３４ｚには、裏蓋４２のネジ孔４２ｎに螺合されたネジ４４がそれぞれ螺合されている。
【００３９】
尚、第１の部位３４ａと裏蓋４２との間及び第５の部位３４ｅと裏蓋４２との間には、ネジ４４が貫通する緩衝材４５が、それぞれ介装されている。このことにより、第１の部位３４ａ及び第５の部位３４ｅは、ネジ４４により裏蓋４２に固定されている。
【００４０】
尚、裏蓋４２に対して、第１の部位３４ａ及び第５の部位３４ｅは、固定されてなくても構わない。この場合、フレーム３４において、第１の部位３４ａ及び第５の部位３４ｅは不要となる。また、第４の部位３４ｄが、枠部７２の高さ方向Ｈの底部に、ネジ等により固定されていても構わない。
【００４１】
第２の部位３４ｂと枠部７２の上部との間に、プレート４０が介装されている。図４に示すように、プレート４０の高さ方向Ｈ及び奥行き方向Ｄに直交する横幅方向Ｃの略中央部に、貫通孔４０ｈが形成されており、さらに、プレート４０の横幅方向Ｃに沿って貫通孔４０ｈを挟む位置に、例えば２つのネジ孔４０ｎが形成されている。尚、ネジ孔４０ｎの数は、２つに限定されない。
【００４２】
また、第２の部位３４ｂにおいてプレート４０の貫通孔４０ｈに対向する位置にも、貫通孔である切り欠き３４ｋが形成されており、第２の部位３４ｂにおいてプレート４０の２つのネジ孔４０ｎに対向する位置にも、２つのネジ孔３４ｎが形成されている。尚、ネジ孔３４ｎの数も２つに限定されず、ネジ孔４０ｎに合った個数であれば良い。
【００４３】
枠部７２の上部には、図２〜図６に示すように、枠部７２の上面から高さ方向Ｈの上方に突出するとともに、枠部７２の横幅方向Ｃに対し所定の幅を有する固定部７１が形成されている。
【００４４】
固定部７１の横幅方向Ｃの略中央部に、具体的には、プレート４０の貫通孔４０ｈに対向する位置に、図３〜図５に示すように、固定部７１及び枠部７２を高さ方向Ｈに貫通する貫通孔７１ｈが形成されている。
【００４５】
ここで、プレート４０の貫通孔４０ｈ、フレーム３４の第２の部位３４ｂに形成された切り欠き３４ｋ、固定部７１及び枠部７２に形成された貫通孔７１ｈには、ナット３５が嵌合されている。
【００４６】
ナット３５は、固定部７１、枠部７２、プレート４０ととともに、インサート成型されたインサートナットから構成されている。尚、フレーム３４の第２の部位３４ｂと枠部７２との間に、プレート４０を介装したのは、ナット３５をインサート成型するためである。
【００４７】
図４に示すように、ナット３５には、吊り下げステー２３において、固定部７１及び枠部７２に形成された貫通孔７１ｈに対向する位置に高さ方向Ｈに貫通するよう形成されたネジ孔２３ｎを介して、吊り下げステー２３の高さ方向Ｈの上方から、ネジ２５が螺合自在となっている。
【００４８】
ネジ２５は、装置本体３の吊り下げステー２３に対して、固定部７１、枠部７２を介して、内蔵物であるプレート４０を固定することにより、装置本体３に装着されたモニタ３０を装置本体３に固定するものである。尚、ネジ２５によって、吊り下げステー２３にモニタ３０が固定された状態においては、モニタ３０は、吊り下げステー２３に吊り下げられて固定される。
【００４９】
さらに、固定部７１おいて、横幅方向Ｃに沿って貫通孔７１ｈを挟む位置、具体的には、プレート４０のネジ孔４０ｎに対向する位置に、図３、図４に示すように、２つの有底穴３６が形成されている。
【００５０】
また、枠部７２においてプレート４０の２つのネジ孔４０ｎに対向する位置に、有底穴３６により露出される２つのネジ孔７２ｎが形成されている。尚、ネジ孔７２ｎの数も２つに限定されず、ネジ孔４０ｎに合った個数であれば良い。
【００５１】
有底穴３６には、第２の固定部材であるネジ３７が嵌入され、該嵌入されたネジ３７は、枠部７２のネジ孔７２ｎに螺合され、プレート４０のネジ孔４０ｎに螺合されるとともに、フレーム３４の第２の部位３４ｂに形成されたネジ孔３４ｎに螺合される。
【００５２】
このことにより、ネジ３７により、フレーム３４及びプレート４０は、固定部７１及び枠部７２に固定される。即ち、ネジ３７は、外装部材３０ｇに対して内蔵物であるフレーム３４及びプレート４０を固定する機能を有している。
【００５３】
このように、本実施の形態においては、固定部７１及び枠部７２に対して、内蔵物であるプレート４０及びフレーム３４の第２の部位３４ｂを、ネジ３７によって固定するとともに、装置本体３の吊り下げステー２３に対して、内蔵物であるプレート４０を、枠部７２、固定部７１を介してネジ２５により固定することにより、吊り下げステー２３に対してモニタ３０を固定すると示した。
【００５４】
また、フレーム３４には、表示モジュール３２がネジ４３によって固定されているとともに、制御基板３３がネジ３８によって固定されていると示した。
【００５５】
このことによれば、装置本体３を不意に落下させた際、吊り下げステー２３に取り付けられたモニタ３０に対して落下方向の力が付与され、枠部７２内における内蔵物である表示モジュール３２、制御基板３３、フレーム３４、プレート４０に落下方向の力が付与されたとしても、表示モジュール３２、制御基板３３は、ネジ４３、３８によってフレーム３４に固定されているとともに、フレーム３４は、ネジ２５によって、吊り下げステー２３に直接固定されていることから、吊り下げステー２３から、外装部材３０ｇに付与される落下方向の力を、上述した図１０〜図１２に示したような外装部材を吊り下げステーに固定する従来の構造よりも緩和させることができる。
【００５６】
よって、外装部材が樹脂から形成されていたとしても、装置本体３を落下させた際に、従来のように、外装部材における応力集中部位から亀裂Ｋが発生してしまうことを防ぐことができる。
【００５７】
以上から、モニタ３０を装置本体３に固定した状態で装置本体３を落下させてしまったとしても、モニタ３０の外装部材３０ｇの破断を、モニタ３０の軽量化を図りながら防ぐことができる構成を有する内視鏡装置１を提供することができる。
【００５８】
尚、以下、変形例を示す。本実施の形態においては、ネジ２５は、固定部７１及び枠部７２、プレート４０、フレーム３４の第２の部位３４ｂにおける貫通孔７１ｈ、４０ｈ、切り欠き３４ｋに嵌合されたナット３５に螺合されると示した。これに限らず、固定部７１及び枠部７２、プレート４０、フレーム３４の第２の部位３４ｂに形成された図示しないネジ孔に螺合される構成であっても本実施の形態と同様の効果を得ることができる。
【００５９】
また、ネジ３７は、固定部７１及び枠部７２、プレート４０、フレーム３４の第２の部位３４ｂに形成されたネジ孔７２ｎ、４０ｎ、３４ｎに螺合されると示したが、これに限らず、固定部７１及び枠部７２、プレート４０、フレーム３４の第２の部位３４ｂに形成された貫通孔に嵌合された図示しないナットに螺合される構成であっても構わない。
【００６０】
（第２実施の形態）
図７は、本実施の形態を示す内視鏡装置において、ネジにより吊り下げステーに固定されたモニタを示す部分断面図である。
【００６１】
この第２実施の形態の内視鏡装置の構成は、上述した図１〜図６に示した第１実施の形態の内視鏡装置と比して、外装部材３０ｇの枠部７２の上部とフレーム３４の第２の部位３４ｂとの間にプレート４０を介装せずに、ネジ２５によって、フレーム３４の第２の部位３４ｂを直接吊り下げステー２３に固定する点が異なる。よって、この相違点のみを説明し、第１実施の形態と同様の構成には同じ符号を付し、その説明は省略する。
【００６２】
図７に示すように、フレーム３４の第２の部位３４ｂは、プレートを介さずに、直接、外装部材３０ｇの枠部７２の上部に当接する構成を有しており、固定部７１及び枠体７２に形成された貫通孔７１ｈ、及びフレーム３４の第２の部位３４ｂに形成された貫通孔３４ｈには、アウトサート（枠体７２成型後にナット５５を嵌入）により嵌合されたナット５５が嵌合されている。尚、貫通孔３４ｈは、貫通孔７１ｈに対向するよう、高さ方向Ｈに貫通して形成されている。
【００６３】
ナット５５には、吊り下げステー２３に形成されたネジ孔２３ｎを介して、吊り下げステー２３の高さ方向Ｈの上方から、ネジ２５が螺合自在となっている。ネジ２５は、装置本体３の吊り下げステー２３に対して、固定部７１、枠部７２を介して、内蔵物であるフレーム３４を固定することにより、装置本体３に装着されたモニタ３０を装置本体３に固定するものである。尚、ネジ２５によって、吊り下げステー２３にモニタ３０が固定された状態においては、モニタ３０は、吊り下げステー２３に吊り下げられて固定される。
【００６４】
また、枠部７２及び固定部７１に形成されたネジ孔７２ｎ、フレーム３４の第２の部位３４ｂに形成されたネジ孔３４ｎに、固定部７１に形成された有底穴３６に嵌入されたネジ３７が螺合自在となっている。
【００６５】
このことにより、ネジ３７により、フレーム３４は、枠部７２及び固定部７１に固定される。即ち、ネジ３７は、外装部材３０ｇに対して内蔵物であるフレーム３４を固定する機能を有している。
【００６６】
これは、ネジ２５を螺合するナットが、フレーム３４と一体的に形成（インサート成型）しない構成となるので、プレート４０を用いないで良い分、上述した第１実施の形態よりも製造コストを安くすることができる。尚、その他の効果は、上述した第１実施の形態と同様である。
【００６７】
尚、以下、変形例を示す。本実施の形態においては、ネジ２５は、固定部７１及び枠部７２、フレーム３４の第２の部位３４ｂにおける貫通孔７１ｈ、貫通孔３４ｈに嵌合されたナット５５に螺合されると示した。これに限らず、固定部７１及び枠部７２、フレーム３４の第２の部位３４ｂに形成された図示しないネジ孔に螺合される構成であっても本実施の形態と同様の効果を得ることができる。
【００６８】
また、ネジ３７は、固定部７１及び枠部７２、フレーム３４の第２の部位３４ｂに形成されたネジ孔７２ｎ、３４ｎに螺合されると示したが、これに限らず、固定部７１及び枠部７２、フレーム３４の第２の部位３４ｂに形成された貫通孔に嵌合された図示しないナットに螺合される構成であっても構わない。
【００６９】
また、以下、別の変形例を、図８を用いて示す。図８は、フレームを固定する図７に示した２本のネジによって、吊り下げステーに対しモニタを固定する変形例を示す部分断面図である。
【００７０】
上述した第２実施の形態においては、固定部７１及び枠部７２、フレーム３４の第２の部位３４ｂに形成された貫通孔７１ｈ、３４ｈに嵌合されたナット５５に、ネジ２５が螺合自在であるとともに、固定部７１及び枠部７２、フレーム３４の第２の部位３４ｂに形成された２つのネジ孔７２ｎ、３４ｎに、それぞれネジ３７が螺合自在であると示した。
【００７１】
これに限らず、図８に示すように、ネジ３７が螺合されていた位置に、ネジ孔７２ｎ、３４ｎを設けずに、貫通孔７１ｈ、貫通孔３４ｈをそれぞれ設けるとともに、貫通孔７１ｈ、３４ｈに、ナット５５を設け、各ナット５５に、２つの貫通孔７１ｈに対向する吊り下げステー２３の位置に形成された２つのネジ孔２３ｎを介して、２本のネジ２５を螺合することにより、吊り下げステー２３に対して、外装部材３０ｇを介して、フレーム３４の第２の部位３４ｂを固定しても構わない。
【００７２】
即ち、ネジ２５を２本用いるのみで、ネジ３７を用いることなく、吊り下げステー２３に対して、外装部材３０ｇを介して、フレーム３４の第２の部位３４ｂを固定しても構わない。このような構成によっても、第２実施の形態と同様の効果を得ることができる。尚、ネジ２５は、２本に限定されず、３本以上でも良いことは勿論である。この場合、外装部材３０ｇに３個以上、ナット５５を設ければ良い。
【００７３】
尚、以下、変形例を、図９を用いて示す。図９は、図７のナットが、外装部材の固定部及び枠部の貫通孔のみに嵌合している変形例を、ネジによりモニタが吊り下げステーに固定された状態で示す部分断面図である。
【００７４】
上述した第２実施の形態においては、ナット５５は、固定部７１及び枠部７２、フレーム３４の第２の部位３４ｂに形成された貫通孔７１ｈ、貫通孔３４ｈに嵌合されていると示した。即ち、ナット５５にネジ２５が螺合されることにより、吊り下げステー２３に対して、フレーム３４がネジ２５により固定されると示した。
【００７５】
これに限らず、貫通孔７１ｈのみにナット６５を嵌合させて、該ナット６５にネジ２５を螺合させることにより、ネジ２５によって、吊り下げステー２３にフレーム３４を固定せずに、固定部７１及び枠部７２のみを固定する構成であっても構わない。尚、この構成においては、ナット６５は、固定部７１とともに、インサート成型される。
【００７６】
この場合、落下により外装部材３０ｇに付与される力は、フレーム３４が固定されていない分、第２実施の形態よりも大きくなるが、ネジ３７によって、フレーム３４が固定部７１及び枠部７２に固定されていることを考慮すれば、従来よりも外装部材３０ｇに付与される落下方向への力は小さくなるため、外装部材３０ｇに割れ等が発生することを、従来よりも防ぐことができる。
【００７７】
また、上述した第１及び第２実施の形態においては、表示装置３０は、装置本体３の外装筐体２０に対して、回動自在であって、着脱自在であると示した。これに限らず、表示装置３０は、内視鏡２の操作部４に対して、上述した実施の形態の構成により、回動自在であって、着脱自在であっても構わない。
【００７８】
この場合、内視鏡装置１としては、図１の内視鏡２の操作部４に表示装置３０が設けられた構成や、図示しないが、装置本体が、挿入部を有する内視鏡の操作部に設けられ、該操作部に、表示装置が設けられた構成等が挙げられる。
【図面の簡単な説明】
【００７９】
【図１】第１実施の形態を示す内視鏡装置の斜視図。
【図２】図１のモニタを、吊り下げステーとともに拡大して示す斜視図。
【図３】図２のモニタからネジを脱却した状態を示すモニタの斜視図。
【図４】図２中のIV-IV線に沿う、ネジにより吊り下げステーに固定されたモニタの部分断面図。
【図５】図４中のV-V線に沿うネジにより吊り下げステーに固定されたモニタの断面図。
【図６】図５中のモニタを、VIの方向から制御基板を除いて概略的にみた平面図。
【図７】第２実施の形態を示す内視鏡装置において、ネジにより吊り下げステーに固定されたモニタを示す部分断面図。
【図８】フレームを固定する図７に示した２本のネジによって、吊り下げステーに対しモニタを固定する変形例を示す部分断面図。
【図９】図７のナットが、外装部材の固定部及び枠部の貫通孔のみに嵌合している変形例を、ネジによりモニタが吊り下げステーに固定された状態で示す部分断面図。
【図１０】従来の内視鏡装置の構成を示す斜視図。
【図１１】図１０の装置本体の吊り下げステーに表示装置が吊り下げられている状態を、一部を断面にして示す図。
【図１２】装置本体を落下させた際に、表示装置の外装部材に亀裂が発生した状態を、一部を断面にして示す図。
【符号の説明】
【００８０】
１…内視鏡装置
２…内視鏡
３…装置本体
２５…ネジ（第１の固定部材）
３０…モニタ（表示装置）
３０ｇ…外装部材
３２…表示モジュール（内蔵物）
３３…制御基板（内蔵物）
３４…フレーム（保持部材）（内蔵物）
３４ｂ…第２の部位（当接部）
３４ｋ…切り欠き（貫通孔）
３４ｈ…貫通孔
３４ｎ…ネジ孔
３５…ナット
３７…ネジ（第２の固定部材）
４０…プレート（介装部材）（内蔵物）
４０ｈ…貫通孔
４０ｎ…ネジ孔
５５…ナット
７１…固定部（外装部材）
７１ｈ…貫通孔
７２…枠部（外装部材）
７２ｎ…ネジ孔
【図１】
2010046423.tif 000003
【図２】
2010046423.tif 000004
【図３】
2010046423.tif 000005
【図４】
2010046423.tif 000006
【図５】
2010046423.tif 000007
【図６】
2010046423.tif 000008
【図７】
2010046423.tif 000009
【図８】
2010046423.tif 000010
【図９】
2010046423.tif 000011
【図１０】
2010046423.tif 000012
【図１１】
2010046423.tif 000013
【図１２】
2010046423.tif 000014